(57)【特許請求の範囲】
【請求項１】
ブーツの端部を構成する円筒状のブーツ固定部の外周に環状のバンド溝を形成し、同ブーツ固定部の内周の前記バンド溝と対向する部所に一体に環状の凸部を形成し、他方、前記ブーツ固定部が嵌合されて固定される相手部材の外周に、前記凸部が嵌合される環状の係合溝と、この係合溝の両側に相手部材外周より突出する環状の突起部を形成して、ブーツ固定部を相手部材外周に双方の凸部と係合溝に嵌合させて嵌め込み、ブーツ固定部外周のバンド溝に嵌着したブーツバンドでブーツ固定部を締付け、この締付け力でブーツ固定部内周を弾性変形させて相手部材外周に気密に固定するようにしたブーツ取付構造において、
該ブーツは、化合物ＲＯ（Ｒ’Ｏ）ｎＯＨ  ｛Ｒはアルキル基、Ｒ’は炭素数１〜６のアルキレン基、ｎは１〜１００の整数を示す。｝を含有する熱可塑性エラストマーで形成され、
ブーツ固定部のバンド溝と凸部の幅方向中央での中心線がほぼ対向する位置に在って、バンド溝の幅がＷ、ブーツバンドの幅がｗ、凸部の幅がｅ、相手部材の係合溝の幅がｂとして、［ｗ＜Ｗ≦ 1.3ｗ］，［0.3ｗ≦ｂ≦ 0.5ｗ］，［0.9ｂ≦ｅ≦ｂ］の寸法関係に形成し、かつ、ブーツ固定部内周からの凸部の高さがｆ、相手部材の係合溝の深さがａ、この係合溝両側の突起部の相手部材外周からの高さがｃとして、［0.2mm≦ｃ≦ 0.5mm］，［0.5mm≦ａ≦1.5mm］の寸法範囲に設定し、更に、［ｆ≦（ａ−ｃ）］，［（ｂ／ａ）≧３］の寸法関係に設定したことを特徴とするブーツ取付構造。
【請求項２】
上記相手部材の係合溝が、その中央部が相手部材軸線と平行な平坦面で、この平坦面から係合溝両側の突起部頂点に向けて円弧面が連続する形状で、前記平坦面の少なくとも片側の円弧面の曲率半径Ｒが、［0.1mm≦Ｒ≦ａ］の寸法であることを特徴とする請求項１記載のブーツ取付構造。
【発明の詳細な説明】
【０００１】
【発明の属する技術分野】
本発明は、自動車用等速自在継手等の相手部材に取付けられるブーツの取付構造に関する。
【０００２】
【従来の技術】
等速自在継手の内部に封入されたグリースの洩れ出し防止や内部への異物侵入を防止するために設けられるブーツは、等速自在継手の外輪の外周に嵌着される大径部と、等速自在継手の軸の外周に嵌着される小径部と、この大径部と小径部の間の蛇腹部を有する。このブーツの大径部と小径部は、円筒状のブーツ固定部として形成され、等速自在継手の外輪や軸といった相手部材の外周に嵌着された後、ブーツバンド（金属製バンド）で締付けられて相手部材に気密に固定される。
【０００３】
上記ブーツは、ゴムブーツと樹脂ブーツに大別され、近年では樹脂ブーツが多く使用される傾向にある。特に樹脂ブーツは、ゴムブーツに比べて弾性が小さいために、相手部材への嵌め込み固定状態が不安定になり易いこともあって、相手部材との取付構造に特別な工夫がなされており、その従来のブーツ取付構造としては図５及び図６に示すものが知られている。
【０００４】
図５に示す取付構造は、樹脂ブーツの大径部、或いは、小径部であるブーツ固定部４１を相手部材４２（等速自在継手の外輪、軸）の外周に嵌合した後、ブーツ固定部４１をブーツバンド４３で締付けて弾性変形させ、その内周に設けた環状の凸部４４を、相手部材４２の外周に設けた環状の係合溝４５に係合密着させて、樹脂ブーツを固定するものである。尚、図５は、ブーツバンド４３による締付け後の状態が示される。
【０００５】
図６に示す取付構造は、相手部材５１の外周に複数の係合溝５２と突起部５３を交互に接近させて形成し、ブーツバンド５４の締付け力によりブーツ固定部５５の内周に突起部５３を食い込ませて、樹脂ブーツを固定するものである。この図６の場合は、ブーツバンド５４による締付け前の状態が示される。
【０００６】
【発明が解決しようとする課題】
図５に示す取付構造では、係合溝４５の形状が角状であるので、その加工は旋削加工（突切り加工）による必要があり、加工コストが高くなる。また、ブーツ固定部４１の抜け止め強度とシール性を確保するために、ブーツ固定部４１の凸部４４の高さｈを比較的大きくする必要があるため、樹脂ブーツの成形方法が限定され、このこともコスト高の要因となっている。また、樹脂ブーツは一般に、ゴムブーツに比べて硬度がかなり高く弾性変形し難いので、凸部４４が高いと相手部材４２への嵌合作業が困難になり、この嵌合作業を少しでも容易にするため凸部４４を低くするとシール性が不十分となる問題もあった。
【０００７】
図６に示す取付構造では、複数の係合溝５２と突起部５３を交互に近接形成しているので、複雑な倣い加工により成形する必要があった。そのため、加工工数が多く、上記と同様に加工コストが高くなっていた。また、ブーツバンド５４の締付け力でブーツ固定部５５を相手部材５１の突起部５３に食い込ませて良好なシール性を確保するようにしているが、一部の樹脂ブーツにおいては、突起部５３への食い込み性との関係で、良好なシール性にやや不足をきたす場合のあることが予測される。
【０００８】
以上の課題を解決するものとして、本出願人は先に図７（Ａ）及び（Ｂ）に示すようなブーツ取付構造を開発し出願した（特願平６−７２９９５号）。このブーツ取付構造を説明する。尚、図７（Ａ）は、樹脂ブーツの大径部または小径部のブーツ固定部１と、等速自在継手の外輪または軸の相手部材２のバンド締め固定前の部分断面と部分側面が示され、図７（Ｂ）は相手部材２だけの部分側面が示される。
【０００９】
ブーツ固定部１の内周１１には環状の凸部１２が一体に形成され、外周には環状のバンド溝４が形成される。ブーツ固定部１を有する樹脂ブーツは、ＴＰＥ（熱可塑性エラストマー）等の樹脂材料から射出成形、ブロー成形等で形成される。ブーツ固定部１を相手部材２の外周２３に嵌挿した後、バンド溝４にブーツバンド３が嵌着される。尚、ブーツバンド３は、金属製の結合バンドである。
【００１０】
相手部材２の外周２３には環状の係合溝２１と、この係合溝２１の両側に環状の突起部２２が一体に形成される。係合溝２１は曲率半径Ｒ’の円弧溝で、その両側の溝肩が突起部２２である。図７（Ｂ）に示す係合溝２１の幅ｂと深さａは、ここにブーツ固定部１の凸部１２が適正に嵌合するように設定され、突起部２２は相手部材２の外周２３から所定の高さｃで突出する。
【００１１】
ブーツ固定部１を相手部材２の外周２３に嵌挿し、凸部１２を係合溝２１に嵌合させて両者を位置決めした状態で、バンド溝４に嵌着したブーツバンド３を縮径させてブーツ固定部１を相手部材２に締付けると、ブーツ固定部１の内周１１側が弾性変形を起こし、凸部１２が係合溝２１側に変位し、突起部２２がブーツ固定部１の内周１１側に食い込む。この凸部１２と係合溝２１の嵌合と突起部２２の強い食い込みで、ブーツ固定部１が相手部材２に高い抜け止め強度とシール性で固定される。
【００１２】
以上の先願のブーツ取付構造においては、次の寸法設定を行った。相手部材２の係合溝２１の幅ｂと深さａ、突起部２２の高さｃにおいては、
ａ＝0.5〜1.5mm，ｂ＝3.0〜5.0mm，ｃ＝0.1〜0.5mm
の寸法範囲に設定し、かつ、（ｂ／ａ）≧３に設定する。
【００１３】
以上の寸法設定における係合溝２１の幅ｂは、ブーツバンド３の幅ｗが通常の８〜１２mmを前提に設定されたもので、この幅ｂの設定で突起部２２がブーツ固定部１に安定して食い込むようになる。また、係合溝２１の深さａは、凸部１２が係合溝２１に確実に嵌合し、ブーツ固定部１が軸方向のＸ方向または半径方向のＹ方向の合成力を受けた場合でも、相手部材２に対して位置ずれを起こさない程度の固定力が得られる深さである。また、突起部２２の高さｃは、突起部２２がブーツ固定部１に確実に食い込み、かつ、ブーツ固定部１の内周１１が相手部材２の外周２３に気密に高いシール性で密着する値である。この場合の突起部２２の幅の上限は１mm程度である。
【００１４】
また、（ｂ／ａ）≧３なる設定は、係合溝２１を倣い加工可能な形状にするためである。この設定で係合溝２１の加工コスト低減が図られる。尚、（ｂ／ａ）＜３であれば、係合溝２１の加工が通常の倣い加工では難しくて、旋削加工（突っ切り加工）に頼らざるを得ず、加工コストが高くなる。
【００１５】
また、上記寸法設定を行うと、ブーツ固定部１の凸部１２の高さｆを小さくしても、係合溝２１と強固な係合密着力が得られ、ブーツ固定部１の高い抜け止め強度とシール性が確保できる。更に、凸部１２の高さｆを小さくすることで、樹脂ブーツの成形方法にダイレクトブロー法、プレスブロー法等の、より多様な方法が適用できて、成形コスト低減が可能となり、而も、高さｈを小さくすることで相手部材２への嵌合の作業性が良くなる。
【００１６】
以上の先願においては、図５や図６のブーツ取付構造上の課題を解決できることが分かっている。ところが、ブーツバンド３の幅ｗに対する凸部１２の寸法関係、この凸部１２に対する係合溝２１と突起部２２の寸法関係を更に追求していくと、より改善され、より多品種の等速自在継手のブーツに尚更に効果的なものが提供できると分かった。
【００１７】
等速自在継手は固定式、摺動式、クロスグルーブ等多種類があり、また、使用されるブーツの材料も樹脂からクロロプレン等に代表されるゴム等まで多種類ある。これら多品種の等速自在継手のブーツ取付構造に図７構造が必ずしも好適であるとは言えない場合がある。例えば、特に、自動車の前輪アウトボード用として高転蛇角まで使用できる固定式等速自在継手で樹脂ブーツを使用したブーツ取付構造に図７構造を採用した場合、シール性に若干の問題が発生することがある。
【００１８】
即ち、上記樹脂ブーツにおいては、ブーツ成形性向上、ブーツ耐摩耗性向上、ブーツ表面の擦過音抑制等の目的で樹脂中に添加剤を含有させる場合がある。この添加剤の種類や量によっては、無添加に比べてブーツ表面の摩擦抵抗が減少し、ブーツ固定部の相手部材とのシール部分において不利となり、これが図７構造のシール性を不安定なものにする場合がある。例えば、擦過音抑制に効果の見られる添加剤としては、効果の大小があるものの、一般的に潤滑作用をもたらす物質として知られる物質なら何でも良く、例えば、パラフィンワックス、クロスタリンワックス、ポリエチレンワックス、モンタンワックス、シリコーンオイル、脂肪酸、脂肪酸アミド、エステル系ワックス、脂肪アルコール、アルコールエステル、脂肪酸エステル、ポリエーテル化合物、鉱油、合成油、植物油など、ゴムや樹脂等に広く利用されているものや、その他の用途、例えば、潤滑油関連等に使用されているものなどが挙げられる。また、これらの添加剤は、ブーツ材料内に添加されて使用されても、ブーツ外表面に粘着（塗布）した状態で使用されても良い。ただし、この種類、用法・用量は、母材となるブーツ材料にとって表面改質がなされると共に、成形性、製品性能の面で満足できる範囲で行なわなければならない。この点から、最近、使用が増加しつつある等速自在継手用樹脂ブーツには、特開平３−１３９５５７号に開示された化合物
ＲＯ（Ｒ’Ｏ）nＯＨ  ｛Ｒはアルキル基、Ｒ’は炭素数１〜６のアルキレン基、ｎは１〜１００の整数を示す。｝を含有させることが特に効果的であると考えられる。しかし、このような擦過音抑制効果の高い添加剤では、摩擦抵抗の低下が起こり、その弊害として現在のシール力では不充分となる場合が起こる。
【００１９】
従って、本発明の目的は、上記先願の寸法関係をより追求して、擦過音抑制のための添加物を含有する樹脂で形成された等速自在継手用ブーツ、特に自動車の前輪アウトボード用として高転蛇角まで使用できる固定式等速自在継手用ブーツの取付けに効果的で、より一層高い取付強度、シール性が得られるブーツ取付構造を提供することにある。
【００２０】
【課題を解決するための手段】
本発明は、ブーツ固定部の外周のバンド溝に嵌着したブーツバンドを締付けることで、ブーツ固定部の内周の凸部を相手部材の係合溝に押圧し、係合溝両側の突起部をブーツ固定部に食い込ませてブーツ固定部を相手部材外周に固定する図７のブーツ取付構造において、該ブーツは、化合物ＲＯ（Ｒ’Ｏ）ｎＯＨ  ｛Ｒはアルキル基、Ｒ’は炭素数１〜６のアルキレン基、ｎは１〜１００の整数を示す。｝を含有する熱可塑性エラストマーで形成され、ブーツ固定部のバンド溝と凸部の幅方向中央での中心線がほぼ対向する位置に設定し、バンド溝の幅Ｗ、ブーツバンドの幅ｗ、凸部の幅ｅ、相手部材の係合溝の幅ｂの間に、［ｗ＜Ｗ≦1.3ｗ］，［0.3ｗ≦ｂ≦ 0.5ｗ］，［0.9ｂ≦ｅ≦ｂ］の寸法関係を設定し、かつ、ブーツ固定部内周からの凸部の高さｆ、相手部材の係合溝の深さａ、この係合溝両側の突起部の相手部材外周からの高さｃの間に、［0.2mm≦ｃ≦ 0.5mm］，［ 0.5mm≦ａ≦1.5］mmの寸法範囲に設定し、更に、［ｆ≦（ａ−ｃ）］，［（ｂ／ａ）≧３］の寸法関係に設定することで、上記目的を達成するものである。
【００２１】
また、上記相手部材の係合溝の相手部材軸線方向での断面形状は特定されないが、ブーツ固定部と相手部材の品種、材質によっては、係合溝の中央部が軸線と平行な平坦面で、この平坦面から係合溝両側の突起部頂点に向けて円弧面が連続する形状で、平坦面の少なくとも片側の円弧面の曲率半径Ｒが、［ 0.1mm≦Ｒ≦ａ］の寸法に設定することが望ましい場合もある。
【００２２】
【発明の実施の形態】
以下、図７のブーツ取付構造に適用した本発明実施例を図１乃至図４を参照して説明する。尚、図１乃至図４の図７と同一、または、相当部分には同一符号を付して説明の重複を避ける。
【００２３】
図１（Ａ）は、ブーツ固定部１を相手部材２に嵌合して、ブーツバンド３で締付ける前の状態が示され、図１（Ｂ）は、ブーツバンド３で締付けた後の状態が示される。ブーツは、化合物ＲＯ（Ｒ’Ｏ）ｎＯＨ  ｛Ｒはアルキル基、Ｒ’は炭素数１〜６のアルキレン基、ｎは１〜１００の整数を示す。｝を含有する熱可塑性エラストマーで形成されている。このブーツ取付構造の概略的構造は、図７と同じで、相違するところは、次のより細かい寸法設定を実施したことにある。即ち、本発明は、ブーツバンド３の幅ｗとバンド溝４の幅Ｗの寸法関係、このブーツバンド３に対する凸部１２の幅ｅ、高さｆ、更には相手部材２の各寸法ａ〜ｃの関係を様々な条件下で実験調査し、また、相手部材２の係合溝２１の軸線方向での断面形状も様々な条件下で実験調査した結果、次の寸法設定するに到った。
【００２４】
図２に示すように、ブーツ固定部１においては、バンド溝４の幅方向中央での中心線と、内周１１の凸部の幅方向中央での中心線をほぼ一致する位置に設定した上で、バンド溝４の幅Ｗ、ブーツバンド３の幅ｗ、凸部１２の幅ｅ、相手部材２の係合溝２１の幅ｂの間に、［ｗ＜Ｗ≦ 1.3ｗ］，［ 0.9ｂ≦ｅ≦ｂ］，［ 0.3ｗ≦ｂ≦ 0.5ｗ］の寸法関係を設定する。
【００２５】
ここで、［ｗ＜Ｗ≦ 1.3ｗ］の寸法設定は、バンド溝４へのブーツバンド３の組付け性と、バンド溝４でのブーツバンド３の固定性を調査した結果である。この場合、ｗ＜Ｗは当然のことであり、Ｗ≦ 1.3ｗの設定は、幅Ｗが 1.3ｗを超えると、ブーツバンド３のバンド溝４内でのガタ付きが大きくなって、固定性が悪くなり、ブーツ固定部１を相手部材２に締付けるときに締付け力のバランスが崩れて、締付け不良が発生する可能性が出てくる。このブーツバンド３の固定性を尚一層良好なものにするには、［1.01ｗ＜Ｗ≦ 1.2ｗ］の寸法設定が望ましく、この寸法設定はｗ＝ 5〜20mmの範囲で最も効果的であることが実験の結果分かっている。
【００２６】
［ 0.9ｂ≦ｅ≦ｂ］の寸法設定は、ブーツ固定部１の凸部１２が相手部材２の係合溝２１に整合性良く嵌合させるためのものである。凸部１２の軸線方向での断面形状は円弧状や台形状等でも可能であり、凸部１２が係合溝２１に整合性良く嵌合し、バンド締付け時のＸ方向の力に対して位置ズレを起こさないようにするための幅ｅの上限は当然ながらｂであり、下限は 0.9ｂであり、好ましい下限は0.95ｂであることが分かっている。
【００２７】
また、凸部１２の高さｆは、低過ぎるとバンド締付け時のＸ方向の力に対する位置ズレ抑制力が不足し、高くなり過ぎるとブーツ成形性とブーツ組付性の問題が生じる。そこで、凸部１２の高さｆは、相手部材２の係合溝２１の深さａを超えないものにする。このことは後述する。
【００２８】
［ 0.3ｗ≦ｂ≦ 0.5ｗ］の設定は、ブーツバンド３の締付け力の分布傾向から決定されたものである。バンド溝４の中心線と凸部１２の中心線を一致させ、バンド溝４のブーツバンド３を締付けた場合の締付け力は、バンド幅方向中央部で最も強くて、バンド端に近付くにつれて低下する（特に、樹脂ブーツ用のブーツバンドとして一般的に使用されているΩ（オメガ）形状のクランプ部を持つ加締めタイプのブーツバンドは、その構造上、バンド幅方向での締付け力の差が顕著である）。そこで、ブーツバンド３でブーツ固定部１を相手部材２に締付けるとき、その締付け力が相手部材２の係合溝２１と突起部２２の部所に最も効果的に強く作用させるためには、バンド中央部で係合溝２１を締付けるようにさせることが望ましく、そのためにはｂ≦ 0.5ｗと設定することが有効である。一方、係合溝２１の幅ｂが 0.3ｗより小さくなると、特に係合溝２１の成形が困難となり、相手部材２の製造コストが高くなる。
【００２９】
本発明は以上の寸法設定と共に、構成部材の加工性やバンド締め付け時における相手部材２のブーツ固定部１への食い込み性を追求した結果、ブーツ固定部１の内周１１からの凸部の高さｆ、相手部材２の係合溝２１の深さａ、突起部２２の高さｃの間に、［ 0.2mm≦ｃ≦ 0.5mm］，［ 0.5mm≦ａ≦ 1.5mm］の寸法範囲の規定と、［ｆ≦（ａ−ｃ）］，［（ｂ／ａ）≧３］の寸法関係を設定する。
【００３０】
即ち、相手部材２の突起部２２の高さｃが小さ過ぎると、バンド締め付け時にブーツ固定部１の内周１１が相手部材２の外周２３に強く接触して、突起部２２のブーツ固定部１への十分な食い込みが期待できない。そこで、突起部２２がブーツ固定部１に十分良好に食い込むことが期待できる高さｃの下限値を求めると、下限値は 0.2mmが適当であることが分かった。
【００３１】
逆に、突起部２２の高さｃが大き過ぎると、相手部材２の素材径を大きくしなければならず、その材料コストが上がり、加工費が高くなるし、更には、ブーツ固定部１が固定された場合にブーツ固定部１と相手部材２の外周２３との間に隙間が生じてゴミ類が溜まり、シール性も低下する不具合が発生することがある。また、高さｃが大き過ぎると、樹脂ブーツの場合においては、相手部材２の径とブーツ固定部１の内径締代の選択幅が狭くなり、相手部材２の外周径とブーツ固定部１の内周径を合わせると、両者の組付性が極端に悪くなることもある。この高さｃの各条件下での最良な上限値を求めると、 0.5mmが適当であると分かった。
【００３２】
［ 0.5mm≦ａ≦ 1.5mm］の寸法規定は、次の理由に基づく。相手部材２の係合溝２１の深さａは、バンド締め付け時に凸部１２が係合溝２１の底に接触しない大きさが望まれる。即ち、バンド締付け時に凸部１２が係合溝２１の底に接触して弾性変形すると、その変形分の反力だけ突起部２２の食い込み性が低下する。また、深さａは、大き過ぎると係合溝２１の強度が低下すると共に、係合溝２１の倣い加工が難しくなって製造コスト、加工性が不利となる。逆に、深さａが小さ過ぎると、これに応じて凸部１２の高さｆを小さくせざるを得なくなり、凸部１２による係合溝２１への位置固定の効果が低下する。以上のことから係合溝２１の深さａは、凸部１２の位置固定を良好にするために 0.5mm以上が適切であり、倣い加工性を良好にするために 1.5mm以下が適切である。
【００３３】
また、係合溝２１の深さａと凸部１２の高さｆの関係は、バンド締付け時に凸部１２が係合溝２１の底に接触しないか、接触しても突起部２２の食い込み性に影響を与えないようにする必要がある。この関係においては、突起部２２の高さｃやブーツ材質にも関係があり、これらを考慮して凸部１２の高さｆと係合溝２１の深さａ、突起部２２の高さｃの最良寸法関係を求めると、ｆ≦（ａ−ｃ）なる関係が分かった。
【００３４】
また、［（ｂ／ａ）≧３］の寸法関係は、図７取付構造と同様に係合溝２１を倣い加工可能な形状にして、加工性向上と製造コスト低減を可能とするためのものである。
【００３５】
以上のブーツ取付構造の各部所での寸法設定、寸法関係設定による効果は、相手部材２の係合溝２１の軸線方向での断面形状によって多少の差異が見られる。即ち、係合溝２１の軸線方向での断面形状は図２や図３、図４に示すものが適格である。図２の係合溝２１は、その中央部が軸線と平行な平坦面２１ｍで、この平坦面２１ｍから係合溝２１両側の突起部２２頂点に向けて円弧面２１ｎが連続する形状である。図３の係合溝２１は、底全体が軸線と平行な平坦面２１’ｍだけの形状である。図４の係合溝２１は、図７と同様な全体が曲率半径Ｒ’の円弧面２１’ｎである。
【００３６】
図２乃至図４の各形状の係合溝２１による突起部２２のブーツ固定部１への食い込み性を考えた場合、図４よりも図２の食い込み性が良好であり、図２よりも図３の食い込み性が良好である。しかし、図３の係合溝２１の形状においては、その平坦面２１’ｍと突起部２２のコーナー部の応力集中や加工性に問題が生じる場合がある。ここで、食い込み性と加工性を考慮した場合、最良なものは図２の形状の係合溝２１であり、この係合溝２１の更に良好な形状は、円弧面２１ｎの曲率半径をＲとすると、［ 0.1mm≦Ｒ≦ａ］の寸法範囲に設定することである。つまり、曲率半径Ｒが 0.1mmより小さくなると、図３と同様に食い込み性が増すが加工性が劣化する。逆に、曲率半径Ｒが係合溝２１の深さａの寸法を超えると、加工性が良くなるが食い込み性が悪くなる。
【００３７】
【発明の効果】
本発明によれば、ブーツ固定部のバンド溝幅とブーツバンド幅の寸法設定、このバンド幅に対する凸部幅設定によって、ブーツバンドでブーツ固定部を相手部材に常に最良の形態で締付けることができ、而も、ブーツ固定部の凸部と相手部材の係合溝と突起部の寸法設定で、バンド締付け時の凸部と係合溝の係合性、突起部の食い込み性が常に最良に行われるので、ブーツ固定部の高い抜け止め強度とシール性が確実に確保できる。このような高いシール性の確保は、擦過音抑制のために化合物ＲＯ（Ｒ’Ｏ）ｎＯＨ  ｛Ｒはアルキル基、Ｒ’は炭素数１〜６のアルキレン基、ｎは１〜１００の整数を示す。｝を含有する熱可塑性エラストマーで形成され、摩擦抵抗の減少によりシール性が不充分となり易いブーツの取付構造、特に、自動車の前輪アウトボード用として高転蛇角まで使用できる固定式等速自在継手用樹脂ブーツのブーツ取付構造において効果的である。また、ブーツ固定部の成形方法が限定されず、相手部材の係合溝も倣い加工が可能で、製造コストの低減化が容易であり、ブーツ固定部の相手部材への取付作業性も良好なものとなる。
【図面の簡単な説明】
【図１】図１（Ａ）は実施例に係わるブーツ固定部の周辺を示すバンド締付け前の断面図、図１（Ｂ）はバンド締付け後の断面図である。
【図２】図１の実施例に係わるブーツ固定部の断面図と相手部材の側面図である。
【図３】他の実施例に係わる相手部材の係合溝の周辺を示す側面図である。
【図４】他の実施例に係わる相手部材の係合溝の周辺を示す側面図である。
【図５】従来構成に係わるブーツ固定部の周辺を示す断面図である。
【図６】他の従来構成に係わるブーツ固定部の周辺を示す断面図である。
【図７】図７（Ａ）は本発明の前提となるブーツ取付構造のブーツ固定部の周辺を示すバンド締付け前の断面図、図７（Ｂ）は図７（Ａ）における相手部材の係合溝の周辺を示す側面図である。
【符号の説明】
１    ブーツ固定部
２    相手部材
３    ブーツバンド
４    バンド溝
１１  内周
１２  凸部
２１  係合溝
２２  突起部
２３  外周
ｗ    ブーツバンド幅
Ｗ    バンド溝幅
ｅ    凸部幅
ｆ    凸部高さ
ａ    係合溝深さ
ｂ    係合溝幅
ｃ    突起部高さ
【図１】
0003964944.tif 000002
【図２】
0003964944.tif 000003
【図３】
0003964944.tif 000004
【図４】
0003964944.tif 000005
【図５】
0003964944.tif 000006
【図６】
0003964944.tif 000007
【図７】
0003964944.tif 000008